【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
それぞれが画面表示体を備えている２つのパネルと、
前記２つのパネルを折り畳み可能に接続する接続手段と、を含んでおり、
前記２つのパネルの中の少なくとも１つのパネルには、その画面表示体が備えられた面の裏側に、ユーザーが無線通信により他人と会話を行うための送話部及び受話部が備えられている、ことを特徴とする携帯型通信端末装置。
【請求項２】
略平面状に連続的に配置され得る３つのパネルと、
前記各パネルを、互いに隣り合う各パネルが互いに折り畳み可能となるように、且つ、前記各パネルを互いに折り畳んだときの状態から展開したときの状態に移行する途中の段階では各パネルの側面の全体が略ジグザク状になるように、接続する接続手段と、を含んでおり、
「前記各パネルを折畳み状態から展開したときの、各パネルの連続体の中のいずれか一方の端に位置するパネル」には、そのユーザーに対向可能な面に、ユーザーが無線通信により他人と会話を行うための送話部及び受話部が備えられており、
前記３つのパネルの全部には、又は、前記３つのパネルの中の「前記送話部及び受話部が備えられているパネル」を除いた２つのパネルには、そのユーザーに対向可能な面に、画面表示体が備えられている、ことを特徴とする携帯型通信端末装置。
【請求項３】
それぞれが画面表示体を備えている２つのパネルと、
前記２つのパネルを折り畳み可能に接続する接続手段と、を含んでおり、
前記２つのパネルが互いに折り畳まれた状態にあるときの一方のパネルには、前記状態にあるときにユーザーに対向している面に、ユーザーが無線通信により他人と会話を行うための送話部又は受話部が備えられている、ことを特徴とする携帯型通信端末装置。
【請求項４】
第１のパネル及び第２のパネルと、
前記第１のパネルの第１の面に備えられた、ユーザーが無線通信により他人と会話を行うための送話部及び受話部と、
前記第１及び第２のパネルを、前記第１のパネルの前記第１の面の反対側の第２の面と前記第２のパネルの一方の面とが共にユーザーに対向可能となるように且つ前記第１及び第２のパネルが互いに折り畳み可能となるように、接続するための接続手段と、を含んでおり、
前記の第１のパネルの第２の面に画面表示体が備えられている、ことを特徴とする携帯型通信端末装置。
【請求項５】
第１の略平板状筐体と、
第２の略平板状筐体と、
前記第１の略平板状筐体と前記第２の略平板状筐体とを、前記第１の略平板状筐体の第１の面と前記第２の略平板状筐体の一方の面とが共にユーザーに対向可能となるように且つ前記第１の略平板状筐体と前記第２の略平板状筐体とが互いに折り畳み可能となるように、接続するための接続手段と、を含んでおり、
少なくとも前記第１の略平板状筐体の前記第１の面には、画面表示体が備えられており、
少なくとも前記第１の略平板状筐体の前記第１の面の反対側の第２の面には、ユーザーが無線通信により他人と会話を行うための送話部及び受話部が備えられている、ことを特徴とする携帯型通信端末装置。
【請求項６】
第１のパネル及び第２のパネルと、
前記第１のパネルの第１の面に備えられた、ユーザーが無線通信により他人と会話を行うための送話部及び受話部と、
前記第１及び第２のパネルを、前記第１のパネルの前記第１の面の反対側の第２の面と前記第２のパネルの一方の面とが共にユーザーに対向可能となるように且つ前記第１及び第２のパネルが互いに折り畳み可能となるように、接続するための接続手段と、を含んでおり、
前記第１のパネルの前記第１の面の反対側の第２の面と前記第２のパネルの一方の面とが共にユーザーに対向しているとき、それらのユーザー側に、ユーザーに対向する画面表示体が配置されている、ことを特徴とする携帯型通信端末装置。
【請求項７】
第１の略平板状筐体と、
第２の略平板状筐体と、
前記第１の略平板状筐体と前記第２の略平板状筐体とを、前記第１の略平板状筐体の第１の面と前記第２の略平板状筐体の一方の面とが共にユーザーに対向可能となるように且つ前記第１の略平板状筐体と前記第２の略平板状筐体とが互いに折り畳み可能となるように、接続するための接続手段と、
前記第１の略平板状筐体の前記第１の面と反対側の第２の面に備えられた、ユーザーが無線通信により他人と会話を行うための送話部及び受話部と、
前記接続手段により前記第１の略平板状筐体の第１の面と前記第２の略平板状筐体の一方の面とが共にユーザーに対向するように配置されているとき、それらのユーザー側の位置にユーザーと対向するように配置された画面表示体と、
を含む、ことを特徴とする携帯型通信端末装置。
【請求項８】
少なくとも第１、第２、及び第３のパネルを含む３個以上のパネルと、
前記各パネルを、前記各パネルが略平面状に連続して並べられたときに互いに隣り合う各パネルが互いに折り畳み可能となるように、且つ、前記各パネルの全てが互いに隣接するパネルに対して折り畳まれた状態と展開された状態との間の中間の状態に置かれたとき前記各パネルの側面が全体として略ジグザク状になるように、接続するための接続手段と、を含んでおり、
前記第１、第２、及び第３のパネルを展開したときにできる「パネルの連続体」の中のいずれか一方の端に位置する前記第１のパネルには、そのユーザーに対向可能な面に、ユーザーが無線通信により他人と会話を行うための送話部及び受話部が備えられており、
少なくとも前記第２及び第３のパネルのユーザーに対向する側には、ユーザーに対向する画面表示体が配置されている、ことを特徴とする携帯型通信端末装置。
【請求項９】
少なくとも３つのパネルと、
前記各パネルが平面状に連続して並べられたときに、互いに隣り合う各パネルが互いに折り畳み可能となるように接続し、且つ、前記各パネルを互いに折り畳んだときの状態から展開したときの状態に移行する途中の段階では各パネルの側面の全体が略ジグザク状になるように接続する接続手段と、を含んでおり、
「前記各パネルを折畳み状態から展開したときにできる『パネルの連続体』の中のいずれか一方の端に位置するパネル」には、そのユーザーに対向可能な面に、ユーザーが無線通信により他人と会話を行うための送話部又は受話部が備えられており、
前記少なくとも３つのパネルの全部又は一部には、そのユーザーに対向可能な面に、画面表示体が備えられている、ことを特徴とする携帯型通信端末装置。
【請求項１０】
第１の略平板状筐体と、
第２の略平板状筐体と、
第３の略平板状筐体と、
前記第１の略平板状筐体の第１の面に備えられた、ユーザーが無線通信により他人と会話を行うための送話部及び受話部と、
前記第１の略平板状筐体及び前記第２の略平板状筐体を、前記第１の略平板状筐体の前記第１の面と前記第２の略平板状筐体の一方の面とが共にユーザーに対向可能となるように且つ前記第１の略平板状筐体と前記第２の略平板状筐体とが互いに折り畳み可能となるように、接続するための第１の接続手段と、
前記第２の略平板状筐体及び前記第３の略平板状筐体を、前記第２の略平板状筐体の前記一方の面と前記第３の略平板状筐体の一方の面とが共にユーザーに対向可能となるように、且つ、前記第２の略平板状筐体と前記第３の略平板状筐体とが互いに折り畳み可能となるように、接続するための第２の接続手段と、を含んでおり、
前記第２の略平板状筐体及び前記第３の略平板状筐体が共にユーザーに対向しているとき、そのユーザー側に、ユーザーに対向する画面表示体が配置されている、ことを特徴とする携帯型通信端末装置。
【請求項１１】
第１の略平板状筐体と、
第２の略平板状筐体と、
第３の略平板状筐体と、
前記各筐体を、前記各筐体が略平面状に連続して並べられたときに互いに隣り合う各筐体が互いに折り畳み可能となるように、且つ、前記各筐体の全てが互いに隣接する筐体に対して折り畳まれた状態と展開された状態との間の中間の状態に置かれたとき前記各パネルの側面が全体として略ジグザク状になるように、接続するための接続手段と、
前記各筐体が略平面状に連続して並べられたときの一方の端に位置する前記第１の略平板状筐体のユーザーに対向可能な面に備えられた、ユーザーが無線通信により他人と会話を行うための送話部及び受話部と、
前記接続手段により前記第２の略平板状筐体及び前記第３の略平板状筐体が共にユーザーに対向するように配置されているとき、それらのユーザー側の位置にユーザーと対向するように配置された画面表示体と、
を備えた、ことを特徴とする携帯型通信端末装置。
【手続補正２】
【補正対象書類名】明細書
【補正対象項目名】０００２
【補正方法】変更
【補正の内容】
【０００２】
【発明が解決しようとする課題】
前記の従来の携帯型通信端末装置については、小型化が十分でない、画面表示体の表示面積が小さい、などの問題がある。本発明は、不使用時や遠隔の相手との音声による会話時の形態については大幅な小型化を可能にしながらも、ユーザーが画面で情報を見るときには広い表示面積を確保することができる、携帯型通信端末装置（通常の使用時には大幅な小型化を可能にしながらもユーザーが画面で情報を見るために使用するときには広い表示面積を確保することができる携帯型電話機を含む）を提供することを目的とする。